(57)【要約】【課題】錠制御装置の取付部の構造に関し、扉表裏に開設される取付開口間の直線的な連続性を遮断することにより、防炎性、防水性を向上させることを目的とする。【解決手段】扉１の表裏に開設された取付開口２に嵌合され、扉１内で背面壁を対向させて保持される一対の錠制御装置４、４と、  扉１に脱離不能に装着され、錠制御装置４の背面壁間に位置して前記取付開口２、２間の炎の直進を規制する隔離壁部５の辺縁に錠制御装置４からの外部接続配線６を引き出す配線引き出し部７を備えた耐火壁８と、  を有するように構成する。【選択図】図２
2009228293.tif 000002
【特許請求の範囲】
【請求項１】
扉の表裏に開設された取付開口に嵌合され、扉内で背面壁を対向させて保持される一対の錠制御装置と、
扉に脱離不能に装着され、錠制御装置の背面壁間に位置して前記取付開口間の炎の直進を規制する隔離壁部の辺縁に錠制御装置からの外部接続配線を引き出す配線引き出し部を備えた耐火壁と、
を有する錠制御装置の取付部の構造。
【請求項２】
前記耐火壁はボックス形状に形成されて扉内で一方の錠制御装置の周囲を囲み、
該錠制御装置を扉内空間から隔離する請求項１記載の錠制御装置の取付部の構造。
【請求項３】
前記耐火壁は、周縁に扉内への落ち込みを防止するフランジを備えていずれか一方の取付開口に嵌合されるとともに、
他方の取付開口に嵌合される錠制御装置には、周縁に扉内への落ち込みを防止するフランジを備えて取付金具が固定され、
前記耐火壁は、前記取付金具に連結されて脱離が規制される請求項１または２記載の錠制御装置の取付部の構造。
【請求項４】
前記配線引き出し部は、扉への取付姿勢において、下方に向けて開口される請求項１、２または３記載の錠制御装置の取付部の構造。
【発明の詳細な説明】
【技術分野】
【０００１】
本発明は、錠制御装置の取付部の構造に関するものである。
【背景技術】
【０００２】
耐火扉等に錠制御装置を取り付ける場合の錠制御装置の取付部の構造としては、特許文献１に記載のものが知られている。この従来例において、出入管理用受信機（錠制御装置４）の扉への固定は、各錠制御装置を扉の表裏に開設された貫通穴（取付開口）に嵌合させ、各錠制御装置の背面部に固定された金属製の裏板を取付金具に固定して行われる。
【０００３】
裏板、および取付金具には挿通口が開設されており、錠制御装置からのケーブルは、挿通口を挿通して一方の裏板と取付金具間に形成される隙間に引き出された後、扉下方、あるいは上方に導かれる。
【特許文献１】特開２００７-２９６４４号公報
【発明の開示】
【発明が解決しようとする課題】
【０００４】
しかし、上述した従来例は、挿通開口は各裏板、および取付金具の対向壁面に形成されるために、扉表裏の取付開口間は挿通開口を経由して概ね直線状に連続した状態となる。この結果、錠制御装置が熱、あるいは炎により崩落した後に扉の一方の壁面の取付開口から扉内に侵入した炎の反対側壁面への直進を完全に防止できないという問題がある。
【０００５】
また、挿通開口により扉表裏の錠制御装置が収容される空間が概ね直線状に連続していることから、一方から侵入した水が他方に飛び散り、あるいはケーブルを伝って移動することによる短絡、腐食等の不具合を完全に防止できないという欠点がある。
【０００６】
本発明は、以上の欠点を解消すべくなされたものであって、扉表裏に開設される取付開口間の直線的な連続性を遮断することにより、防炎性、防水性を向上させた錠制御装置の取付部の構造の提供を目的とする。
【課題を解決するための手段】
【０００７】
扉１の表裏両面には取付開口２が開設され、錠制御装置４は取付開口２に嵌合させた状態で扉１の表裏両面に取り付けられる。耐火壁８は、錠制御装置４の可燃部が崩落した状態においても扉１から脱離することないように扉１に装着されており、装着状態において、扉１内で対向する各錠制御装置４の背面壁間に隔離壁部５が位置する。
【０００８】
隔離壁部５により隔てられた錠制御装置４の外部接続配線６は、隔離壁部５の辺縁から引き出されて例えば電源、あるいはコントローラに接続される。
【０００９】
したがってこの発明において、扉１の表裏面に開設される取付開口２、２間は耐火壁８の隔離壁部５により仕切られるために、一方の錠制御装置４側から侵入した水、あるいは錠制御装置４の可燃部が崩落して扉１内に侵入した炎は隔離壁部５により隔てられて直接反対方の取付開口２に達することを確実に防止することが可能になる。
【００１０】
耐火壁８は隔離壁部５を錠制御装置４間に配置可能であれば、例えば、隔離壁部５の四隅から脚片を突設したものであってもよいが、隔離壁部５の四周縁から側壁を起立させてボックス形状に形成し、扉１内で一方の錠制御装置４の周囲を囲むように形成すると、当該錠制御装置４を扉１内の他の空間から隔離することができるために、他の空間へ、あるいは他の空間からの水、炎の伝達をより効率的に遮断することができる。
【００１１】
耐火壁８の扉１への装着は、例えば、扉１に適宜の止着子、あるいはクリップ等を使用して固定して行うことも可能であるが、
前記耐火壁８は、周縁に扉１内への落ち込みを防止するフランジ９を備えていずれか一方の取付開口２に嵌合されるとともに、
他方の取付開口２に嵌合される錠制御装置４には、周縁に扉１内への落ち込みを防止するフランジ９を備えて取付金具１０が固定され、
前記耐火壁８は、前記取付金具１０に連結されて脱離が規制されるように構成すると、扉１に格別のネジ孔等をあけることなく、かつ、錠制御装置４の可燃部が炎により崩落しても、扉１から脱落することなく扉１に装着することができる。
【００１２】
外部接続配線６は隔離壁部５の辺縁であれば、いずれの方向から引き出してもよいが、下方から引き出した場合には、扉１の表裏空間上方からの水も遮断することができる。
【発明の効果】
【００１３】
本発明によれば、扉表裏に開設される取付開口間の直線的な連続性が遮断されるために、防炎性、防水性を向上させることができる。
【発明を実施するための最良の形態】
【００１４】
図１以下に示すように、錠制御装置４は、家屋の扉１の室内側壁面１ａに固定されて使用される。扉１は、内部が中空の鉄製の耐火扉であり、図２に示すように、扉１表面に錠制御装置４を固定するための矩形の取付開口２が開設される。
【００１５】
錠制御装置４は、表面のスイッチプレート１１を押下操作することにより、利用者が所持する図外の認証コード発信装置に対して認証信号要求信号を出力する機能と、発信装置からの認証信号を受信する機能とを有し、受信結果はコントローラに伝達されて電気錠（図示せず）が駆動される。
【００１６】
スイッチプレート１１は装置本体１３の表面部に配置される揺動軸１２周りに揺動自在に連結され、揺動軸１２から上方（以下、本明細書において扉１への取付姿勢を基準に「上下」「正面」「背面」を決定する。）を押すことにより施錠信号が、下方を押すことにより解錠信号が出力される。利用者に施解錠時の押圧操作位置を示すために、スイッチプレート１１には施解錠マーク１１ａが表示される。
【００１７】
装置本体１３内には実装基板１４が固定され、この実装基板１４上にスイッチプレート１１への揺動操作に伴って押下操作される押しボタンスイッチ１４ａと、押しボタンスイッチ１４ａの押下を条件に認証コード発信装置との交信を行うアンテナ１４ｂ、およびこれらの周辺回路が実装される。
【００１８】
また、装置本体１３には底壁構成部材を兼ねた鋼板製の取付金具１０が固定される。取付金具１０は実装基板１４を背面側から覆うように、ボックス形状に形成され、正面側を向く開放端縁から外方に向けてフランジ９が突設される。ボックス部１０ａは扉１の取付開口２に挿入可能な大きさを有し、フランジ９は取付金具１０の扉１内への落ち込みを規制することができる程度の寸法に形成される。
【００１９】
この取付金具１０は、ボックス部１０ａの上下辺から突設されるフランジ９をネジ１５止めして装置本体１３に固定され、扉１への固定状態において下方を向く側壁面には矩形の配線引き出し口１０ｂが開設される。
【００２０】
さらに、図１、２において扉１に対して左側に示される室内側の装置本体１３の取付金具１０の上辺に位置するフランジ９には係止舌片挿通開口１０ｄが開設されるとともに、ボックス部１０ａの開放端縁の下縁中心部にはネジ孔１０ｆを備えた連結舌片１０ｅが突設される。連結舌片１０ｅは、ネジ孔１０ｆが斜め下方を向くように、正面側に向いて折り曲げられる。また、室外側の取付金具１０のボックス部１０ａの底壁には、ナット１０ｃが埋め込まれる。
【００２１】
以上のように構成される錠制御装置４はブラケットを兼ねる耐火壁８を介して扉１に固定される。図４に示すように、耐火壁８は、上記取付金具１０が嵌合可能なボックス形状をなし、ボックス部１０ａの開放端縁からフランジ９が突設される。フランジ９は上述した取付金具１０と同様に、ボックス部１０ａを取付開口２に挿入させた状態で耐火壁８が扉１内に落ち込むことがない大きさに形成される。
【００２２】
また、耐火壁８のボックス部８ａの下方に位置する側壁には、配線引出し部７が開設されるとともに、ボックス部８ａの底壁には、ビス挿通孔８ｂが開設される。ビス挿通孔８ｂは上述した室外側の取付金具１０に形成されるナット１０ｃに対応して配置され、皿ネジ１６の頭部を収容するために皿もみされる。
【００２３】
さらに、耐火壁８には、上記室内側の取付金具１０の係止舌片挿通開口１０ｄに挿通可能な係止舌片８ｃと、取付金具１０の連結舌片１０ｅに対応する耐火壁８側連結舌片８ｄが形成される。耐火壁８側連結舌片８ｄには、取付金具１０側の連結舌片１０ｅのネジ孔１０ｆに連通するネジ挿通孔８ｅが穿孔される。
【００２４】
したがってこの実施の形態において、錠制御装置４の扉１への固定に際し、まず、ボックス部１０ａを取付開口２に挿入して室外側の錠制御装置４を保持する。錠制御装置４の装置本体１３と扉１との間には、室外からの浸水を防止するために、パッキン１７が介装される。次いで、耐火壁８のボックス部１０ａを室内側から取付開口２に挿入し、ナット１０ｃにねじ込まれる皿ネジ１６を使用して室外側の錠制御装置４に連結する。室外側の錠制御装置４と耐火壁８との固定を扉１内に配置される皿ネジ１６により行うことにより、悪戯等による錠制御装置４の取り外しが確実に防止できる。
【００２５】
耐火壁８を室外側の錠制御装置４の取付金具１０に固定した状態において、耐火壁８と取付金具１０のフランジ９は扉１を挟んだ状態となり、扉１からの脱落が防止される。
【００２６】
以上のようにして耐火壁８を固定した後、室内側の錠制御装置４を耐火壁８に固定する。耐火壁８への固定に際し、まず、図４、図５（ａ）に示すように、取付金具１０の係止舌片挿通開口１０ｄを耐火壁８の係止舌片８ｃに外嵌し、次いで、係止舌片８ｃとの接触部を中心として図５（ａ）において反時計回りに回転させる。取付金具１０の回転により、図５（ｂ）に示すように、取付金具１０側の連結舌片１０ｅは耐火壁８側連結舌片８ｄ上に積層され、この状態でビス１８をねじ込むことにより双方が連結される。
【００２７】
図２に示すように、耐火壁８を介して双方の錠制御装置４を扉１に固定した状態において、室内外の錠制御装置４から引き出される電源、信号線等の外部接続配線６は、各々対応する配線引き出し口１０ｂから下方に引き出された後、コントローラ１９等に接続される。また、室内側の錠制御装置４は耐火壁８により囲まれた状態となり、かつ、室内外の錠制御装置４とを耐火壁８の底壁が隔てるために、室内外の取付開口２は完全に分断される。
【図面の簡単な説明】
【００２８】
【図１】錠制御装置を示す図で、（ａ）は側面図、（ｂ）は正面図、（ｃ）はスイッチプレートを取り除いて一部を破断させた図である。
【図２】本発明を示す断面図である。
【図３】耐火壁への錠制御装置の取付を示す図である。
【図４】耐火壁への取付金具の固定を示す図で、（ａ）は正面図、（ｂ）は（ａ）の４Ｂ-４Ｂ方向矢視図である。
【図５】室内側の取付金具の耐火壁への固定を示す図で、（ａ）は取り付け途中状態を示す図、（ｂ）は取り付け完了状態を示す図である。
【符号の説明】
【００２９】
１    扉
２    取付開口
４    錠制御装置
５    隔離壁部
６    外部接続配線
７    配線引出し部
８    耐火壁
９    フランジ
１０  取付金具
【図１】
2009228293.tif 000003
【図２】
2009228293.tif 000004
【図３】
2009228293.tif 000005
【図４】
2009228293.tif 000006
【図５】
2009228293.tif 000007